(57)【要約】本発明は、二次誘導性を有する移動可能なコンシューマーへの電力の誘導伝達のための装置に関する。この二次誘導性は固定された一次誘導性に対して相対的に移動可能である。この二次誘導性には、整流器とスイッチングレギュレータとがその下流に接続され、規定された値の第１の直流を生成する。少なくとも一つの追加的な直流を生成するために、前記スイッチングレギュレータの出力（Ａ，Ｂ）が、容量性の電圧分割器（Ｃ２１，Ｃ２２）として構成され、この電圧分割器（Ｃ２１，Ｃ２２）の全体の電圧は、第１の直流電圧ＵLである。追加の電圧ＵL2が容量性の電圧分割器（Ｃ２１，Ｃ２２）のタップ点（Ｅ）で利用可能である。電圧分割器（Ｃ２１，Ｃ２２）のタップ点（Ｅ）は、前記二次誘導性（Ｌ１１，Ｌ１２）のリークオフ点（Ｃ）と連結されている。二次誘導性（Ｌ１１，Ｌ１２）はダイオードＤ２を介して同一の細分比を有する。ダイオードＤ２のアノードは、リークオフ点（Ｃ）に接続されている。この方法で、安定した低い出力電圧が、大きな努力なしに、追加的に利用できる。その低い出力電圧の低い電圧への変換のためには、対応する低い伝達比を有する直流変換器で十分である。
2005522974.tif 000002
【特許請求の範囲】
【請求項１】
位置が固定された一次インダクタンスに対して相対的に移動可能な二次インダクタンスを有する移動可能なコンシューマーへの電気エネルギーの誘導伝達のための装置であって、所定の大きさの第１のＤＣ電圧を生成するために整流器とスイッチングレギュレータとが前記二次インダクタンスの下流に接続され、さらに少なくとも一つの追加的なＤＣ電圧を生成するための手段を含み、
前記スイッチングレギュレータの出口（Ａ，Ｂ）側が、追加的なＤＣ電圧ＵL2を生成するために容量性の電圧細分割器（Ｃ２１，Ｃ２２）の形態で構成され、前記出口の全体の電圧が第１のＤＣ電圧ＵLで、前記追加的なＤＣ電圧ＵL2が前記電圧細分割器（Ｃ２１，Ｃ２２）の電圧細分割のタップ点（Ｅ）から利用でき、前記電圧細分割器（Ｃ２１，Ｃ２２）の前記タップ点（Ｅ）が、前記電圧細分割器（Ｃ２１，Ｃ２２）と同一の細分割比で細分割される前記二次インダクタンス（Ｌ１１，Ｌ１２）の細分割のタップ点（Ｃ）にダイオードＤ２を介して接続され、前記ダイオードＤ２のアノードは前記タップ点（Ｃ）に接続されることを特徴とする装置。
【請求項２】
請求項１に記載の装置であって、キャパシタンスが前記二次インダクタンス（Ｌ１２，Ｌ２２）に並列に接続されており、前記キャパシタンスは２つのコンデンサ（Ｃ１１，Ｃ１２）の直列接続により形成され、これらのコンデンサの細分割比は前記二次インダクタンス（Ｌ１，Ｌ１２）の前記タップ点（Ｃ）における細分割比と同じで、これらのコンデンサ（Ｃ１１，Ｃ１２）の細分割の接続点は前記タップ点（Ｃ）に接続されていることを特徴とする装置。
【請求項３】
請求項１または２に記載の装置であって、前記容量性の電圧細分割器は、２個の直列に接続されたコンデンサ（Ｃ２１，Ｃ２２）を備え、前記コンデンサ（Ｃ２１，Ｃ２２）の接続点が前記タップ点（Ｅ）を形成することを特徴とする装置。
【請求項４】
請求項３に記載の装置であって、前記容量性の電圧細分割器は、更に２つの直列に接続された抵抗器（Ｒ２１，Ｒ２２）を備え、これらの抵抗器の細分割の比は、前記コンデンサ（Ｃ２１，Ｃ２２）の細分割の比と等しく、前記２つのコンデンサ（Ｃ２１，Ｃ２２）のタップ点（Ｅ）と前記２つの抵抗器（Ｒ２１，Ｒ２２）の細分割のタップ点とが互いに接続されていることを特徴とする装置。
【請求項５】
請求項４に記載の装置であって、前記抵抗器（Ｒ２１，Ｒ２２）のオーム値が、それらの中で変換される電力が、出口（Ａ，Ｂ）で開放することのできる公称電力に比較して無視できる程度に小さくなる大きなオーム値を有することを特徴とする装置。
【請求項６】
請求項１ないし５のいずれか１項に記載の装置であって、前記追加的なＤＣ電圧ＵL2が前記出口（Ａ，Ｂ）での全体の電圧ＵLの略半分の大きさであることを特徴とする装置。
【請求項７】
請求項１ないし６のいずれか１項に記載の装置であって、前記出口（Ａ，Ｂ）での全体の電圧ＵLが約５００ボルトから約６００ボルトの範囲であることを特徴とする装置。
【請求項８】
請求項１ないし７のいずれか１項に記載の装置であって、ＤＣ／ＤＣコンバータ（５）が、前記電圧細分割器（Ｃ２１，Ｃ２２）の前記タップ点（Ｅ）に接続され、前記ＤＣ／ＤＣコンバータ（５）は、前記追加のＤＣ電圧ＵL2を略１／１０に電圧を縮小させることを特徴とする装置。
【請求項９】
請求項８に記載装置であって、前記ＤＣ／ＤＣコンバータ５の出力電圧ＵSが２０ボルトから３０ボルトの範囲であることを特徴とする装置。
【請求項１０】
請求項１ないし９のいずれか１項に記載の装置であって、前記二次インダクタンス（Ｌ１１，Ｌ１２）に接続されたコンシューマーエレクトロニクスシステム（８）の出口（Ａ，Ｂ）に接続された負荷（４）が、電気駆動ユニット（６）に電力を供給するための３相コンバータ（７）を含むことを特徴とする装置。
【請求項１１】
請求項１０に記載の装置であって、前記３相コンバータ（７）がダイオード（Ｄ３）を介して前記コンシューマーエレクトロニクスシステム（８）の出口（Ａ，Ｂ）に接続され、前記ダイオード（Ｄ３）のアノードが前記コンシューマーエレクトロニクスシステム（８）の出力端子（Ａ）に接続されていることを特徴とする装置。
【請求項１２】
請求項１１に記載の装置であって、前記３相コンバータ（７）の入り口に並列にコンデンサ（Ｃ３１，Ｃ３２）が接続されていることを特徴とする装置。
【請求項１３】
請求項１０ないし１２のいずれか１項に記載の装置であって、前記３相コンバータ（７）は、前記コンシューマーエレクトロニクスシステムと一つの構成ユニットを形成するように組み合わされていることを特徴とする装置。
【請求項１４】
請求項１３に記載の装置であって、前記３相コンバータ（７）および前記コンシューマーエレクトロニクスシステム（８）が、共有する回路基板上に共に配列されていることを特徴とする装置。
【発明の詳細な説明】
【技術分野】
【０００１】
本発明は、電力の誘導伝達のための装置に関するものである。
【背景技術】
【０００２】
電力の誘導伝達のための装置は、機械的ないしは電気的に何ら接触することなく、移動可能なコンシューマー（エネルギー消費体）に電気エネルギーを伝達するために機能する。この装置は、一次側と二次側とを備え、それらは変圧器の原理に類似した方法で電磁気的に結合されている。一次側は、給電電子システムと、ある範囲に沿って取り付けられる導電性ループとを備えている。１以上のコンシューマーと、関連するコンシューマーのエレクトロニクスシステムとが二次側のコンシューマー側又はコンシューマーシステムを形成する。一次側と二次側とができるだけ接近して結合した変圧器とは対照的に、ここでは疎結合システムを扱う。このことは相対的に高いｋＨｚの範囲の動作周波数の結果として可能となる。この方法で、数センチメートルまでの大きな空隙でも橋絡することができる。この結果、二次側の動作周波数は、並列振動性回路の共振周波数となるように決められる。この並列振動性回路は、コンシューマー側コイルに並列に接続されたコンデンサにより形成される。
【０００３】
この型のエネルギー供給システムの利点として、磨耗がないこと、維持が不要であること、接触しても安全であること、すぐ使用できることが挙げられる。典型的な用途としては、製造技術における自動材料転送システムと、エレベータや電動バスなどの個人輸送システムがある。
【０００４】
コンシューマー側の基礎的な回路図が国際公開第９２／１７９２９号に記載され、図１に簡略化した形で示されている。整流器１がコンシューマー側インダクタンスＬ１とコンデンサＣ１との下流に接続されている。コンデンサＣ１は、コンシューマー側インダクタンスＬ１に並列に接続され、振動性回路を形成する。公知の型のスイッチングレギュレータが、インダクタンスＬ２、ダイオードＤ１、コンデンサＣ２および電子スイッチＳを備え、レギュレータ２と共に、前記整流器１に接続されている。レギュレータ２は、本質的に、基準電圧源と比較器とを備え、この比較器は、コンデンサＣ２の両端の電圧が第１の所定値を超えたときに制御線３を介して電子スイッチＳを閉じる。また、この電圧が、前記第１の電圧よりわずかだけ低い第２の電圧より下がると、前記電子スイッチを閉じる。この結果、コンデンサＣ２と、端子ＡおよびＢでこのコンデンサＣ２に並列に接続されている負荷４との両者の両端の電圧ＵLがほぼ所定の目標電圧をとる。負荷４は、典型的には電気駆動システムである。
【０００５】
多くの用途において、制御電子システムには、電気駆動ユニットの形態の主負荷４と共に、電気が供給されなければならない。そこでは、必要な電圧レベルはかなり異なる。この駆動ユニットへの電気の供給のための電圧の典型的な値は、ほぼ５６０Ｖに達するのに対して、制御電子領域の電圧は１桁以上低く、例えば、２４Ｖである。第２の著しく低い出力電圧を供給することのできる方法は、主負荷４に並列に、端子ＡおよびＢにＤＣ／ＤＣコンバータを接続することである。しかし、ここで述べているような、例えば５６０Ｖ
から２４Ｖへの変換比のためのＤＣ／ＤＣコンバータは（製造するのに）高価であり、し
たがってコストが高い。
【０００６】
もう一つの方法は、請求項１の前提部の基礎を形成するドイツ国特許出願公開第１００  １４  ９５４  Ａ１号に提案されている。第２の著しく低いＤＣ電圧を得るために、第２の二次コイルがコンシューマー側コア上に設けられる。この二次コイルは第２の整流器に接続される。引用した明細書では言及されていないが、電圧を安定させるために、多分、第２のレギュレータが前記第２の整流器の下流に接続されなければならないであろう。その結果、前記コンシューマーエレクトロニクスシステムは、有効に低電圧レベルで再現される。コンシューマー側に第２の二次コイルを適用することの必要性は、また、コンシューマー側の構成の設計の自由度を制限する。
【０００７】
陰極線管の陽極のためにキロボルト範囲の高電圧を生成するための高電圧発生器が米国特許第６，００５，４３５号から既知であり、この文献では、高い先鋭度（ｆｌａｎｋ  ｓｔｅｅｐｎｅｓｓ：フランクステープネス）を有するレギュレータパラメータの形態で出力電圧を細分割するために出力側で必要なＲＣ並列構成部品が、２個の個別のＲＣ並列構成部品の直列接続により形成されている。この結果、より小型の回路アセンブリと共に用いられるコンデンサの絶縁耐力に対する要件がより緩やかとなる。
【０００８】
ドイツ国特許出願公開第３８  ３２  ４４２  Ａ１号が、牽引車を移動させるための電流を供給するための装置を教示している。この牽引車は、ヘビーデューティの牽引からタッピングされて電気的接続ケーブルから取り出され交流電圧を整流し、低電圧変換器（コンバータ）により、６００Ｖの中間回路のＤＣ電圧に変換する。３×３８０Ｖの正弦波交流電圧が、２個の全く同一の交流逆整流器およびその下流に接続されたＬＣフィルタにより、このＤＣ電圧から生成される。この結果として、低電圧変換器は２個の直列接続ＧＴＯサイリスタを備えている。このＧＴＯサイリスタは、２個の全く同一のキャパシタンスを介して入力側と出力側とで接続されている。これらのキャパシタンスは、互いに直列に接続され、これらの接続点は、互いに接続されている。この低電圧変換器のための回路構成は、その入力絶縁耐力を二倍にする働きをする。
【発明の開示】
【発明が解決しようとする課題】
【０００９】
この従来技術に基づいて進めるとき、本発明のための課題は、二次側のコンシューマーシステムへの極めてわずかな侵襲のみを伴うように、この一般的な型の装置の場合に、少なくとも一つの二次出力電圧を使用可能として、可能な限り単純な構成とすることである。
【課題を解決するための手段】
【００１０】
この課題は、請求項１に示唆される特徴を有する装置により解決される。本発明の更に有利なような展開は従属項中に見出される。
【００１１】
本発明の重要な利点は、追加の出力電圧を得るために、ほんのわずかな追加の構成要素を必要とし、回路の接続形態に大きな変化を何ら必要としない態様に存する。コンシューマーシステム自身への侵襲は、それが二次コイルの一つの取り出し点に制限されているので最小限である。エネルギー伝達の効率も、コンシューマーエレクトロニクスの変更の結果としての何ら著しい損傷を経験しない。本発明を実現するのに必要な、キャパシタンスの直列回路への細分割化は、それぞれ独立のキャパシタンスの両端間における電圧低下がより低く生じるという好ましい方向の副次的効果を有し、それにより、このことが、使用されるコンデンサの絶縁耐力に関するより厳しくない要件を示している。
【００１２】
追加的な特別の利点として、本発明により、制御エレクトロニクスを提供するための３００Ｖより小さい入力電圧を有するＤＣ／ＤＣコンバータを使用することができる。このようなＤＣ／ＤＣコンバータは、主供給電圧電源により駆動される装置の品目において多数用いられ、したがってそれらは安価に入手できる。
【００１３】
特に望ましく、安価でコンパクトな解決法は、駆動ユニットを動かす機能を有する変換器（コンバータ）と一緒に単一の構成要素として本発明に従った装置を実現することであり、そこにおいて、このような組み合わせの概念は、この一般的な型の従来の装置にも適用できる。
【発明を実施するための最良の形態】
【００１４】
本発明の実施の形態が、以下に図面を用いて説明される。図２に示す本発明の実施の形態は、第２の出力電圧ＵL2を利用できるようにすることを目的とする。第２の出力電圧ＵL2は、電圧ＵLのほぼ半分である。電圧ＵLは、主負荷４にとって必要であり、端子ＡおよびＢの間にまだ変化しない大きさ、約５００Ｖから約６００Ｖの範囲の例えば５６０Ｖで提供される。したがって、コンシューマー側インダクタンスＬ１は、２つの等しい大きさのインダクタンスＬ１１およびＬ１２に細分割される。インダクタンスＬ１１およびＬ１２は互いに直列に接続され、これらの和が図１のインダクタンスＬ１に対応する。このインダクタンスＬ１の細分割は、コイルまたはコアにその他の変更を加えることなく、コイルの中央取り出し点Ｃの手段により実現される。
【００１５】
同じ方法で、図１のコンデンサＣ１およびＣ２が、二つの等しい大きさのコンデンサＣ１１およびＣ１２、またはＣ２１およびＣ２２の直列接続に細分割される。ここで、周知のように、部分的キャパシタンスは、それぞれ全体のキャパシタンスの２倍の値を有しなければならない。コンデンサＣ１１およびＣ１２の接続点、すなわち細分割のタップ点Ｄ（又はＥ）は、コンシューマー側コイルの中央取り出し点Ｃ、すなわち、インダクタンスＬ１１およびＬ１２の接続点、すなわちこの細分割のタップ点に接続される。すなわち、これらの二つの接続点Ｃ，Ｄは、共同接合部を形成する。この処理は、整流器１に接続されるその外部接続に関してコンシューマー側発振回路の特性に関して何も変化させない。
【００１６】
図２のコンシューマー側振動性回路の下流に接続された４個のダイオードＤ１１ないしＤ１４は、公知の方法で、図１に概略的にのみ示した整流器１を形成する。この回路のこの部分は何の変化も経験していない。すなわち、ダイオードＤ１、電子スイッチＳおよびレギュレータ２は同様な構成で、レギュレータ２は、端子ＡおよびＢの間から負荷４の両端間に掛かる電圧ＵLを取り出し、制御線３を介したスイッチＳの適切な駆動の結果として、この電圧ＵLを所定の値に一定に保つ。明確化のために、レギュレータ２はもはや図２に描かれていない。
【００１７】
追加要素の形態として、かなり大きなオーム値を有する等しい大抵抗の抵抗器Ｒ２１およびＲ２２が、各場合の回路中のコンデンサＣ２１およびＣ２２に並列に接続されている。さらに、Ｌ１１およびＬ１２からなるコンシューマーシステムのインダクタンスの中央取り出し点Ｃは、ダイオードＤ２を介してコンデンサＣ２１およびＣ２２ならびに抵抗器Ｒ２１およびＲ２２の接続点Ｄに接続されている。ここで、ダイオードＤ２は、電流がＣからＤ、すなわちコンシューマー側振動性回路から出力側のＲＣ構成部品にだけ流れることができるように、接続されている。
【００１８】
Ｃ２２とＲ２２とからなる並列回路の両端間の部分電圧ＵL2は、Ｃ２１とＲ２１とからなる並列回路の両端間の部分電圧ＵL1にほぼ等しい。したがって、主負荷４の両端に印加される出力電圧ＵLの半分の大きさの部分電圧ＵL2がＤＣ／ＤＣコンバータ５の導入口に供給され、これからＵL2の約１／１０の大きさの約２０Ｖから約３０Ｖの範囲の出力電圧ＵSが生成される。変圧器５を接続するための追加の出力端子が図２中Ｅで表される。設計電圧の代表的な値は、ＵL1＝ＵL2＝２８０ＶおよびＵS＝２４Ｖである。
【００１９】
回路の機能のモードは、第１に、元来の出力コンデンサＣ２を、２個の互いに直列に接続された等しい大きさのコンデンサＣ２１およびＣ２２に細分割した結果として、全体の出力電圧ＵLを半分にすることから進行する。しかし、ＵLの他に必要となる低電圧ＵSを生成するために、単にＤＣ／ＤＣコンバータをコンデンサＣ２１またはＣ２２の一方の両端間の適当な低い公称入力電圧に接続することはできない。その理由は、このことの結果として生じる負荷の非対称性により、問題のキャパシタンスの両端間の電圧がブレークダウンする可能性があるからである。
【００２０】
このことを回避するために、本発明は、コンシューマー側インダクタンスＬ１と、それに並列に接続された同調コンデンサＣ１とが、部分インダクタンスＬ１１およびＬ１２ならびに部分コンデンサＣ１１およびＣ１２に適宜細分割化され、その結果生成された２個の部分振動性回路が共に接続される接合部Ｃが２個の出力キャパシタンスの接続接合部Ｄに接続されるという特徴を提供する。この対策の結果、追加のＤＣ／ＤＣコンバータ５のための部分電圧を取り出すために設けられているコンデンサＣ２２の両端間の電圧のブレークダウンを回避することができる。しかし、部分インダクタンスＬ１２、整流ダイオードＤ１３、インダクタンスＬ２、およびスイッチＳを経由する配線経路上の短絡が、Ｃ２２の両端間のＤＣ電圧のためにスイッチＳを閉じる状態で生じ得る。追加のダイオードＤ２の仕事は、この短絡経路を介してのコンデンサＣ２２の放電を防止することである。
【００２１】
この回路は、上述した対策により単独ですでに満足に機能する。すなわち、端子ＡおよびＢ間に印加される電圧の半分がＣ２２の両端から追加的に取り出すことができ、ＤＣ／ＤＣコンバータ５に供給することができる。しかし、何らかの理由で、主負荷４がコンシューマーエレクトロニクスシステムから分離された場合には、電圧ＵL2の不変性は最早保証されないことがある。というのは、レギュレータ２は、図１では全体電圧ＵL＝ＵL1＋ＵL2を観察しているのに対して、この場合には、主負荷が切り離されたあとに残されたオーム負荷のみがＣ２２に並列に接続されることがあるからである。
【００２２】
主負荷４の分離の場合にも安定した部分電圧ＵL2を保証するためには、二つの等しい大きさの抵抗器Ｒ２１およびＲ２２が、それぞれコンデンサＣ２１およびＣ２２に並列に接続されることで、その結果、端子ＡおよびＢの間のオーム負荷の存在が保証される。この負荷は全般の期間で対称ではなく、非対称の程度は、主として、ＤＣ／ＤＣコンバータ５の端子ＦおよびＧで取り出される電力の大きさに依存する。このことは、これらの端子から取り出すことのできる電力が、特に、主負荷４を接続せずにコンシューマーエレクトロニクスシステムを動作させる場合に制限されることを意味する。始めに既述した様に、追加の電圧ＵSは、主負荷４に比べて低い電力の要求のみを有する制御エレクトロニクスシステムを動作させる場合のみに必要である。追加的な抵抗器Ｒ２１およびＲ２２は相対的に高いオーム値、すなわち、１０ないし１００ｋΩのオーダーのオーム値を有することができる。
【００２３】
上記で説明した実施の形態は、コンシューマー側振動性回路と出力側のＲＣ要素との対称的な細分割を提供したが、出力電圧ＵLの半分よりも大きいかまたは小さい追加電圧を取り出すことができるように、非対称な細分割比を選択することも可能である。
【００２４】
数個の追加電圧が必要な場合には、２以上の電圧への細分割を保証することも基本的に考え得る。このような修正または拡張は、当業者である技術的な熟練者にとっては、上述した例に関する知識を用いて、容易に達成可能である。このような修正または拡張は、本発明の要素の一つである。
【００２５】
図３は、３相コンバータ７により付勢される非同期モータ６の形態の主負荷４を有する上述したコンシューマーエレクトロニクスシステムの相互接続の一つの適切な形態を示す。このコンシューマーエレクトロニクスシステムは図３にブロック８の形態で図示され、それは、図２により明らかにされる回路の全ての構成部品からコンシューマー側インダクタンスＬ１１＋Ｌ１２、ＤＣ／ＤＣコンバータ５および主負荷４を除いた構成部品を含む。３相コンバータ７により駆動されるモータ６を有する図３に示す構成は、本発明に従ってコンシューマーエレクトロニクスシステム８の端子ＡおよびＢへの接続をなす主負荷４の典型的な形態である。
【００２６】
これにより生じる問題は、モータ６の発電機動作、例えばブレーキ手順中に、電力が３相コンバータ７を介してコンシューマーエレクトロニクスシステム８の方向に逆流する可能性があることである。従来技術に従ったコンシューマーエレクトロニクスシステムの場合、図１に示すように、このことは出力コンデンサＣ２の両端間の電圧の増加を生じ、この増加が、コンシューマー側からのこれ以上の出力電圧ＵLの増加に何らの寄与も生じさせないために、レギュレータ２にスイッチ２を閉じさせる。この電圧増加は、レギュレータ２がそれを処理できる限り破壊的ではない。
【００２７】
しかし、図２に示した本発明に従う回路の場合、モータ６の発電機動作の場合に出力電圧ＵL＝ＵL1＋ＵL2にこのような増加を生じることは許されない。その理由は、出力電圧の増加は、ＤＣ／ＤＣコンバータ５の入力電圧ＵL2の安定性を損なうからである。出力電圧が著しく増加すると、部分電圧ＵL2の対応する著しい増加の結果として、ＤＣ／ＤＣコンバータ５の導入口を破壊することさえある。
【００２８】
この理由のために、互いに直列な２個のコンデンサＣ３１およびＣ３２からなる追加のキャパシタンスの並列接続に加えて、コンシューマーエレクトロニクスシステム８の出力端子Ａと３相コンバータ７との間にダイオードＤ３が追加される図３の相互接続が、３相コンバータ７の導入口と並列に設けられる。モータ６のブレーキモードでの動作の結果としての３相コンバータ７の導入口での電圧の増加は、この場合、コンデンサＣ３１およびＣ３２の充電を生じる。その理由は、出力側のコンデンサＣ２１およびＣ２２の随伴する充電を伴う、コンシューマーエレクトロニクスシステム８の出口での電圧の増加を生じるこの出口への逆電流がダイオードＤ３により阻止されるからである。コンデンサＣ３１とＣ３２とは、３相コンバータ７から逆流するエネルギーを受け入れるために必要であり、キャパシタンスの２個の直列接続されたコンデンサへの分割は本質的ではないが、より低い絶縁耐力のコンデンサで本発明を実現するために適切である。
【００２９】
コンシューマーエレクトロニクス８、３相コンバータ７およびこれらの間に接続された要素、すなわち図３の例ではダイオードＤ３およびコンデンサＣ３１およびＣ３２、が一つの構成ユニット中に組み合わされていれば特に適切である。このことは、これらが少なくとも一つの共有する筐体中に収容されることを意味する。さらに、これらは一つの共有する基板上に配列できれば好都合である。このことの結果として、空間、重量および構成部品が節約され、かくて、コンシューマーエレクトロニクスシステム８と３相コンバータ７とが独立したユニットでそれぞれが自身の筐体を有しケーブルとプラグで互いに接続されなければならない従来例に比べて、よりコンパクトでより安価な解決方法が創出される。
【００３０】
このことは、コンシューマーエレクトロニクスシステム８が第２の出力電圧を取り出せる場合のみならず、図１に示す従来のコンシューマーエレクトロニクスシステムと、駆動ユニット６を動かすために設けられる３相コンバータ７とを組み合わせる場合にも適用できる。一つの共有する構成部品を与える上述したシステムの構成部品の組み合わせは、独立した構成ユニットの形態での実施の形態に関して、常に空間、重量およびコストの節約をもたらす。他の特別な利点として、図３に従い、３相コンバータ７からコンシューマーエレクトロニクスシステム８を切り離すときの電力の逆流の場合に必要な追加の要素Ｄ３、Ｃ３１およびＣ３２を含む、２つの出力電圧を有するコンシューマーエレクトロニクスシステム８を、高価な支出なしで共有される構成ユニット中に統合することができる。
【図面の簡単な説明】
【００３１】
【図１】従来例におけるコンシューマーエレクトロニクスシステムの基礎的な回路図である。
【図２】本発明に係る実施の形態における、第２の出力電圧を有するコンシューマーエレクトロニクスシステムの回路図である。
【図３】本発明に係る実施の形態における、３相コンバータにより動かされる駆動ユニットの形態の負荷を有するコンシューマーエレクトロニクスシステムの接続を示す図である。
【図１】
2005522974.tif 000003
【図２】
2005522974.tif 000004
【図３】
2005522974.tif 000005
【国際調査報告】
2005522974.tif 000006
2005522974.tif 000007
2005522974.tif 000008
2005522974.tif 000009
2005522974.tif 000010
2005522974.tif 000011